(57)【要約】シールドエッジを有する独特の織パターンが組み込まれ、超純水（ＵＰＷ）のみで含浸された織布を含む、クリーンルーム環境中、又は他の類似の制御された環境中で使用するための含浸ワイパー。
2020513986.tif 000002
【特許請求の範囲】
【請求項１】
少なくとも２つの異なるマイクロファイバー材料を有する織布を含み、前記織布は、超純水のみで含浸されている、クリーンルーム用ワイパー。
【請求項２】
前記織布が、シールドエッジ（sealed edges）を含む、請求項１に記載のクリーンルーム用ワイパー。
【請求項３】
前記少なくとも２つのマイクロファイバー材料のうちの１つが、ナイロン／ポリエステル複合体を含む、請求項１に記載のクリーンルーム用ワイパー。
【請求項４】
ナイロン／ポリエステル複合体を含む前記マイクロファイバー材料が、２５〜３０％のナイロン及び７０〜７５％のポリエステルを含む、請求項３に記載のクリーンルーム用ワイパー。
【請求項５】
前記少なくとも２つのマイクロファイバー材料のうちの第二の材料が、ポリエステルを含む、請求項４に記載のクリーンルーム用ワイパー。
【請求項６】
前記織布が、シールドエッジを含む、請求項５に記載のクリーンルーム用ワイパー。
【請求項７】
前記織布が、６本の縦糸及び１８本の横糸を有する繰り返しパターンを用いて織られた第一のマイクロファイバー材料及び第二のマイクロファイバー材料を含む、請求項１に記載のクリーンルーム用ワイパー。
【請求項８】
前記第一のマイクロファイバー材料が、前記繰り返しパターンにおける前記１８本の横糸に用いられるナイロン／ポリエステル複合体を含む、請求項７に記載のクリーンルーム用ワイパー。
【請求項９】
前記第二のマイクロファイバー材料が、前記繰り返しパターンにおける前記６本の縦糸に用いられるポリエステルを含む、請求項８に記載のクリーンルーム用ワイパー。
【請求項１０】
前記織布が、シールドエッジを含む、請求項９に記載のクリーンルーム用ワイパー。
【請求項１１】
前記少なくとも２つの異なるマイクロファイバー材料を織って、前記マイクロファイバー材料のうちの１つがナイロン／ポリマー複合体を含む織布を作製する工程；
高温、高圧、及び少なくとも１つの界面活性剤を用いて前記織布を処理する工程；
前記織布を、無菌超純水を用いて洗浄する工程；
前記織布を乾燥する工程；
前記織布を切断し、前記織布のエッジをシールして、個々のワイパーを作製する工程；及び、
前記ワイパーをパッケージし、前記超純水で含浸する工程、
を含む方法によって作製された、請求項１に記載のクリーンルーム用ワイパー。
【請求項１２】
前記織る工程が、６本の縦糸及び１８本の横糸を有する繰り返しパターンを用いて、前記ナイロン／ポリマー複合体材料を、第二のマイクロファイバー材料と共に織ることを含む、請求項１１に記載のクリーンルーム用ワイパー。
【請求項１３】
前記ナイロン／ポリマー複合体材料が、前記１８本の横糸に用いられ、前記第二のマイクロファイバー材料が、前記６本の縦糸に用いられる、請求項１２に記載のクリーンルーム用ワイパー。
【請求項１４】
前記織布の前記織られたマイクロファイバーが、前記織布を処理する工程の前に弛緩される、請求項１１に記載のクリーンルーム用ワイパー。
【請求項１５】
前記織布を洗浄する工程が、前記織布を、洗剤を用いて洗浄し、続いて無菌純水を用いて前記織布を繰り返しリンスすることを含む、請求項１４に記載のクリーンルーム用ワイパー。
【請求項１６】
前記織布を切断し、前記織布の前記エッジをシールする工程が、切断及びシールを同時に行うことを含む、請求項１５に記載のクリーンルーム用ワイパー。
【請求項１７】
前記パッケージされた含浸ワイパーを滅菌する工程をさらに含む、請求項１１に記載のクリーンルーム用ワイパー。
【発明の詳細な説明】
【技術分野】
【０００１】
（関連出願の相互参照）
本出願は、その全内容が参照により本明細書に援用される２０１７年３月２３日に出願された仮特許出願第６２／４７５，５２３号の優先権を主張するものである。
【０００２】
（発明の分野）
本発明は、クリーンルーム環境中、又は他の類似の制御された環境中において使用するための、揮発性有機化合物（ＶＯＣ）を使用することなく設備及び作業面からの汚染物質の効果的な除去を可能とし、かつ、低い発塵レベルを呈する含浸ワイパー全般に関する。含浸ワイパーは、シールドエッジ（sealed edges）を有する独特の織パターンが組み込まれ、超純水（ＵＰＷ）のみで含浸された織布から作製される。含浸ワイパーは、ある面を湿潤状態のままとすることなく、その面から汚染物質を除去するのに充分なＵＰＷを保持している。ＶＯＣを使用することがないため、それに伴う健康及び安全性のリスクもなく、重要面を清浄かつ乾燥した状態とする。
【背景技術】
【０００３】
現在、湿潤剤として１００％イソプロピルアルコール（ＩＰＡ）を用いた含浸ワイパーが、典型的には、ワークステーション、ベンチトップ、及び処理チャンバーの内部といった装置表面など、クリーンルーム内の重要面の洗浄に用いられる。含浸ワイパーが使用される以前は、ＩＰＡを含有する噴霧ボトルとともにドライワイパーが用いられていた。ＩＰＡ含浸ワイパーの現行の使用者は、それが、汚染制御に対するより便利で費用対効果の高い手法を提供するものと考えている。
【０００４】
ＩＰＡ含浸ワイパーを使用している企業によると、噴霧ボトルとともにドライワイパーを使用することと比較した場合に、より良好な手順の遵守（おそらくは利便性によるもの）、全体としてのワイパー使用量の低減、揮発性有機化合物（ＶＯＣ）レベルの低減、火炎災害の低減、及びワイパーのより再現性のある湿潤レベルが報告されている。しかしながら、ＩＰＡ含浸ワイパーは、引火性、一時的なＶＯＣ放出、及び作業員のＶＯＣ曝露など、ＶＯＣに伴う健康及び安全性のリスクを依然として有している。
【０００５】
加えて、ＩＰＡ含浸ワイパーの別の欠点は、対応するドライワイパーよりも高い可能性のあるレベルを含む、著しい発塵レベルを呈することである。ＩＰＡ含浸ワイパーによる高い発塵レベルは、ワイパーと湿潤剤との長期間にわたる接触と関連付けられてきた。ＩＰＡ含浸ワイパーの試験中に見られるこのようなより高い発塵レベルは、周囲面及び／又はプロセスに対する粉塵への曝露レベル並びにリスクレベルの上昇を潜在的に意味し得る。
【発明の概要】
【発明が解決しようとする課題】
【０００６】
したがって、重要面を効果的に洗浄し、同時に、現行の方法、すなわち、ＩＰＡ含浸ワイパーを、又はＩＰＡを含有する噴霧ボトルとともにドライワイパーを使用する方法と比較して、プロセス有益性の増加、コストの低減、並びに環境衛生及び安全性の向上を提供するクリーンルーム用含浸ワイパーが求められている。
【課題を解決するための手段】
【０００７】
本発明は、超純水（ＵＰＷ）のみで含浸された含浸マイクロファイバーシールドエッジワイパーに関する。超純水（ＵＰＷ又は高純度水）は、著しく厳しい規格まで精製された
水である。超純水は、半導体産業において、水が、有機及び無機化合物、溶解した物質及び粒子状物質、揮発性物質及び不揮発性物質、反応性物質及び不活性物質、親水性物質及び疎水性物質、並びに溶解したガスを含むあらゆる種類の汚染物質に対して最高レベルの純度まで処理されていることを強調するために、一般的に用いられる用語である。本発明のワイパーは、クリーンルーム技術者が１００％ＶＯＣフリーの拭き取りを実現することを可能とし、かつ、ＩＰＡを含む引火性溶剤を、クリーンルームの拭き取り手順から完全に排除する。本発明のワイパーは、オペレータが汚染物質を移動させ、取り込み、除去することを可能とすると同時に、ＵＰＷのみを用いて面を清浄及び乾燥状態のままとする、独特の織パターンを有するマイクロファイバー布から構築される。ワイパーの織り方及びシールドエッジは、使用中に粉塵及びファイバーが発生することを低減する目的で、摩耗及び裂けに対する耐性を提供する。
【０００８】
本発明のＵＰＷ含浸ワイパーは、ＩＳＯクラス３及びそれ以上のクリーンルームで使用することができる。ＵＰＷ含浸ワイパーは、フラットパネルディスプレイ及びウォーター製造（water fabs）における高吸引（hi-vac）プロセスチャンバー及びロボティクスの洗浄、リソグラフィ、化学蒸着、及び計量モジュールにおける揮発性有機化合物（ＶＯＣ）に敏感なプロセス設備の洗浄、並びにリソグラフィトラックからの焼成したレジスト及び現像剤の洗浄除去に特に有用である。ＵＰＷ含浸ワイパーはまた、設備のフロントエンドモジュール、静電チャック、ＶＡＴバルブ、及びガス分散プレートなどの敏感なコンポーネントの最終拭き取りにも用いられ得る。ＵＰＷ含浸ワイパーはまた、設備の予防メンテナンス時に、並びにＶＯＣ及び引火性溶剤の排除が必要とされる場合のウェット洗浄にも、特に有用である。クリーンルーム中の水平面、ステンレススチールカート、及び作業面も、本発明のＵＰＷ含浸ワイパーを使用するのに理想的な場所である。
【０００９】
１つの例示的な実施形態では、本発明のクリーンルーム用ワイパーは、少なくとも２つの異なるマイクロファイバーを有する織布を含み、織布は、超純水のみで含浸されている。本発明の１つの態様では、織布を構成するマイクロファイバーのうちの１つは、ナイロン／ポリエステル複合体を含み得る。さらに、ナイロン／ポリエステル複合体は、２５〜３０％のナイロン及び７０〜７５％のポリエステルから構成されていてよい。１つの特定の例示的な実施形態では、ナイロン／ポリエステル複合体は、７２％のポリエステル及び２８％のナイロンを含んでよく、これは、面を装置の回復を阻害し得る湿潤状態のままとすることなく汚染物質を除去することができるように、洗浄される面を湿潤させるのに充分な水を保持することが認められた。
【００１０】
本発明の別の態様では、織布は、シールドエッジを有し得る。本発明のなお別の態様では、織布は、６本の縦糸及び１８本の横糸を有する繰り返しパターンを用いて織られた第一のマイクロファイバー及び第二のマイクロファイバーを含み得る。第一のマイクロファイバー材料は、ナイロン／ポリエステル複合体であってよく、繰り返しパターンにおける１８本の横糸に用いられる。第二のマイクロファイバー材料は、ポリエステルであってよく、繰り返しパターンにおける６本の縦糸に用いられる。この織パターンにより、ＵＰＷをワイパーに、直ちにかつ均一に含浸させることが可能となる。本発明の複数のＵＰＷ含浸ワイパーが、ワイパーを含むパッケージ内に積み重ねられてよく、パッケージ内に含まれるワイパーの最上部のワイパーと最下部のワイパーは、同量の水を含有しており、したがって、ＵＰＷで等しく湿潤されている。
【００１１】
本発明はまた、ＵＰＷ含浸ワイパーの作製方法にも関し、１つのマイクロファイバーがナイロン／ポリエステル複合体を含んでいるマイクロファイバーを選択する工程、特別な織パターンを用いてマイクロファイバーを織り、織布のロールを作製する工程、迅速に水を浸潤させるための、高温、高圧、及び薬品を用いた処理を織布に施す工程、処理された織布を、無菌超純水を用いて洗浄処理する工程、処理された織布のロールから、織布を切
断、シールすることによってワイパーを形成する工程、並びにパッケージし、超純水で含浸する工程、を含む。この方法はまた、確実に無菌状態とするためにガンマ線照射によって後処理する工程、及び清浄度を保障するためのロット検査を行う工程も含んでよい。
【００１２】
ＵＰＷ含浸ワイパーの作製方法の別の例示的実施形態は、１）少なくとも２つの異なるマイクロファイバー材料を織って、マイクロファイバー材料のうちの１つがナイロン／ポリマー複合体である織布を作製する工程、２）高温、高圧、及び少なくとも１つの界面活性剤を用いて織布を処理する工程、３）織布を、無菌超純水を用いて洗浄する工程、４）織布を乾燥する工程、５）織布を切断し、織布のエッジをシールして、個々のワイパーを作製する工程、並びに６）ワイパーをパッケージし、超純水のみで含浸する工程、を含む。織り工程は、６本の縦糸及び１８本の横糸を有する繰り返しパターンを用いて、ナイロン／ポリマー複合体材料を、第二のマイクロファイバー材料と共に織ることを含んでよい。ナイロン／ポリマー複合体材料は、繰り返しパターンにおける１８本の横糸に用いられてよく、第二のマイクロファイバー材料は、繰り返しパターンにおける６本の縦糸に用いられてよい。
【００１３】
織布の織られたファイバーは、織布を処理する工程の前に、弛緩され得る。織布を洗浄する工程は、織布を、洗剤を用いて洗浄し、続いて無菌純水を用いて織布を繰り返しリンスすることを含み得る。織布の切断及びエッジのシールは、同時に行われて、個々のワイパーが作製されてよい。本発明のＵＰＷ含浸ワイパーの作製方法は、パッケージされた含浸ワイパーを滅菌する工程も含み得る。
【図面の簡単な説明】
【００１４】
【図１】図１は、本発明のクリーンルーム用ＵＰＷ含浸ワイパーの例示的な作製方法における工程を示すフローチャートである。
【図２】図２は、本発明のワイパーの１つの例示的な実施形態を作製するために用いられる織布の作製に用いられる第一のマイクロファイバーの写真である。
【図３】図３は、図２で言及した本発明のワイパーの例示的な実施形態を作製するために用いられる織布の作製に用いられる第二のマイクロファイバーの写真である。
【図４】図４は、図２及び図３に示されるマイクロファイバーを用いて作製された高速水含浸性（fast water wet out）を有する改良された織布の写真である。
【図５】図５は、図４に示される高速水含浸性を有する改良された織布を作製するために用いられた織パターンを示す図である。
【図６】図６は、図４に示される高速水含浸性を有する改良された織布を構成する弛緩されたファイバーの拡大図である。
【発明を実施するための形態】
【００１５】
現在用いられているＩＰＡで含浸されたクリーンルーム用ワイパーは、ポリエステルから構成されている。ポリエステルワイパーの場合、何らかの洗浄効率を得るためには、洗浄される面を完全に湿潤させる必要がある。１００％ポリエステルの布は、面を乾燥状態のままとしない。クリーンルーム内の洗浄された面をＩＰＡで湿潤した状態のままとすることは、すべてのＩＰＡがすぐに蒸発することから、問題ではない。しかし、ＩＰＡを用いることの欠点は、ＩＰＡの蒸気が有害であり、引火性であり、汚染源であることである。加えて、１００％ポリエステルは、その耐摩耗性が低いことから、粉塵を容易に排出する。
【００１６】
ＩＰＡ含浸ポリエステルワイパーに伴う課題及び欠点にも関わらず、半導体製造プラントは、ワイパーに水を用いることを考慮したことはなく、その理由は、半導体製造プロセスにおける多くの装置は、１０４〜１０７気圧で運転される必要があり、装置に水が残っていると、ポンプによるダウンタイムが、３〜５倍長くなる、又は何時間も長くなるから
である。プラントでは、設備の価値が、１００００ドル／時間を超えるものであることから、このようなポンプによるダウンタイムは許容されない。しかし、水と共に使用するためのワイパーが、ＩＰＡと共に用いられるワイパーのように機能するように、すなわち、洗浄はするが、洗浄された後の面を湿潤状態のままとしないように機能するように製造することができれば、それがＩＰＡに伴う安全性及び健康のリスクを有しないことから、半導体製造プラントでは、それを使用することを容易に選定することができる。
【００１７】
本発明は、まさにそのようなワイパーに関する。本発明は、超純水（ＵＰＷ）のみで含浸されており、ＵＰＷが直ちに均一にワイパー中に浸潤し、重要面上に水を残すことなく重要面を洗浄することができるように構成された含浸ワイパーを含む。本発明はまた、本発明のＵＰＷ含浸ワイパーの作製方法も含む。
【００１８】
図１は、本発明のクリーンルーム用ＵＰＷ含浸ワイパーの例示的な作製方法１０における工程を示すフローチャートである。まず、工程１２において、ワイパーの作製に用いられることになる織布作製のためのファイバーが選択される。ファイバーは、ナイロン／ポリエステル複合体である第一のマイクロファイバー、及びポリエステルである第二のファイバーを含む。本発明のワイパーの１つの例示的な実施形態を作製するために用いられる織布の作製に用いることができる第一のマイクロファイバーの写真を、図２に示す。第一のマイクロファイバー材料は、柔らかく、光沢があり、非常にかさ高い。それはまた、非常に優れた水分透過性及び通気性も備える。ナイロン／ポリエステル複合体は、２５〜３０％のナイロン及び７０〜７５％のポリエステルから構成されていてよい。１つの特定の例示的な実施形態では、ナイロン／ポリエステル複合体は、７２％のポリエステル及び２８％のナイロンを含んでよい。本発明のワイパーの例示的な実施形態を作製するために用いられる織布の作製に用いることができる第二のマイクロファイバーの写真を、図３に示す。第二のマイクロファイバー材料は、柔らかく、高密度であり、耐水性、水分透過性であり、高い引張強度を有する。
【００１９】
工程１４では、第一及び第二のマイクロファイバーが、図５に示すような特定の織パターンを用いて織られ、このパターンは、織布を、水が直ちに均一に織布中に浸潤することを意味する、高速水含浸性（Fast Water Wet Out）とすることを促進する。図５に示す織パターンは、６本の縦糸と１８本の横糸を含む１つの繰り返し単位である。各ボックスは、織りのインターロック点を示す。「×」は、このインターロック点上において、縦糸／マイクロファイバーが、横糸／マイクロファイバーの上にあることを意味する。上記で述べた第一のマイクロファイバー材料は、横糸として用いられ、上記で述べた第二のマイクロファイバー材料は、縦糸として用いられる。第一及び第二のマイクロファイバーは、織られて、ワイパーの作製に用いられる織布のロールが作製される。１つの例示的な方法では、織布のロールは、６１インチ幅の織布のロールを含んでよい。
【００２０】
織布は、工程１６において、高温、及び高圧、及びＵＰＷと織布との間の界面張力を低下させることによって湿潤剤として作用する界面活性剤などの１又は複数の薬品で処理される。この処理は、さらに、織布を高速水含浸性とすることを促進する。処理後、マイクロファイバーを織布に織るために用いられる織機上の特別の配列を用いて、図６に示すように織られたファイバーを弛緩させる。高速水含浸性とする処理が施された織布から得られたヒトデ型の断面を図４に示す。
【００２１】
工程１８において、処理された織布のロールは、その後、無菌超純水を用いて洗浄処理される。より具体的には、処理された織布のロールは、洗剤を用いて１０分間洗浄され、次に４分間ごとのリンスを９回行うことによって３６分間にわたってリンスされる。３００ｒｐｍで５分間、次に６００ｒｐｍで５分間回転させることによって、ロールから水が抽出される。次に、ロールは、摂氏８５度の乾燥機中で２時間にわたって乾燥される。
【００２２】
次に、工程２０において、処理された織布のロールからワイパーが形成される。処理された織布のロールは、さらに処理されて、布のより細いロールとされ、最終的にはシートとされる。処理された織布のより小さいロール及びシートには、切断と、装置からワイパーへ金属汚染物質が移ることを最小限に抑えるためにステンレススチール上にＰＶＤコーティングを有している超音波装置を用いたシールとが、同時に施される。布は、長さ方向に沿って切断及びシールされて、シールドエッジが形成され、次にそれは、別の機械上で処理されて、ウェブ全体にわたって切断及びシールされ、個々のワイパーが作製される。
【００２３】
工程２２では、個々のシールドエッジワイパーは、パッケージされ、ＵＰＷで含浸される。ワイパーは、パッケージあたり１０又は２０のワイパーで、互いの上に平らに積み重ねられる。ワイパーを形成するための処理された織布のロールの巻き取り、アイロン掛け、及び切断は、クリーンルーム内で行われる。ワイパーのパッケージ及び含浸も、クリーンルーム内で行われる。次に、パッケージされた含浸ワイパーは、工程２４において、ガンマ線照射を用いて滅菌される。ガンマ線照射は、標準的な滅菌手順であり、ガンマ線照射器は、コバルト−６０によって作動し、温度の影響をほとんど与えることなく、残渣もなく、製品及びそのパケージ全体にわたって微生物を効果的に殺傷するものである。最後に、清浄度を保障するために、パッケージされ滅菌された製品のロットが、工程２６において検査される。
【００２４】
本発明のクリーンルーム用ＵＰＷ含浸ワイパーは、ＩＰＡに伴う安全性、環境、及び健康の問題を起こすことなく、クリーンルーム用ＩＰＡ含浸ワイパーと同様に作用する。クリーンルーム用ＵＰＷ含浸ワイパーは、清浄であり、平滑であり、洗浄した面のあとに水を残すことなく効果的に洗浄する能力を有する。含浸ワイパーを構成する織布は、ＩＰＡ含浸ワイパーの場合と同様に、洗浄面が非常に素早く乾燥するように設計されている。
【００２５】
本発明のクリーンルーム用ＵＰＷ含浸ワイパーを用いることによるプロセス有益性としては、限定されないが、１）リソグラフィ、計量、ＣＶＤなどのＶＯＣに敏感な製造モジュールを溶媒蒸気から保護すること、２）ファブワイパー（fab wipers）に伴う繊維及び粉塵のエクスカーション（excursions）のリスクを低減すること、３）予防メンテナンス時間の短縮及び稼働時間の向上に繋がる改善された汚染物質の拾い上げ、４）非常に優れたひと拭き（first pass）での洗浄結果及び洗浄時間の短縮を可能とするワイパーの均一で一定の湿潤、並びに５）最先端のウェハ製造での使用に最適化されたワイパーであること、が挙げられる。加えて、本発明のクリーンルーム用ＵＰＷ含浸ワイパーを用いることは、ワイパーの使用量を減少させて、廃棄物除去コストが低下する結果となることによって、ＩＰＡワイプを排除することによりＶＯＣのプロセス曝露及び一時的排出のコストを大きく低減することによって、ひと拭きの質（1st Pass quality）を向上させることで試験ウェハのコストを低減することによって、粉塵制御を向上させることで装置のダウンタイムに伴うコストを低減することによって、及び洗浄の平均時間を削減することによって、維持費を低減することを可能とするものである。
【００２６】
本発明のクリーンルーム用ＵＰＷ含浸ワイパーの使用で得られる環境衛生及び安全性の有益性としては、限定されないが、１）引火性化学物質の保管及び溶媒噴霧ボトルを削減することによって、クリーンルームの拭き取り時の火災リスクを排除すること、２）溶媒での拭き取りに伴う一時的ＶＯＣ排出及び大気パーミットの影響（air permit implications）を排除すること、並びに３）クリーンルームの拭き取り時における作業員のイソプ
ロピルアルコールへの曝露を排除すること、が挙げられる。
【００２７】
本発明のクリーンルーム用ＵＰＷ含浸ワイパーの性能及び汚染特性の初期評価は、既存のＩＰＡ含浸ワイパーと比較して改善を示すものである。本発明のクリーンルーム用ＵＰ
Ｗ含浸ワイパーのこれらの特性を示すいくつかの初期データを以下の表１に示す。表１のデータは、含浸から７日後のワイパーの典型的な分析を表している（乾燥状態）。測定単位は、標準試験法ＩＥＳＴ−ＲＰ−ＣＣ００４．３で用いられる標準単位を表す。
【００２８】
【表１】
2020513986.tif 000003
【００２９】
本明細書における本発明の例示的な実施形態の図面及び記述は、本発明の様々な例示的な実施形態を示す。これらの例示的な実施形態及びモードは、当業者が本発明を実践することができるように充分に詳細に記載されるものであり、いかなる形であっても、本発明の範囲、適用性、又は構成を限定することを意図するものではない。そうではなく、以下の開示は、例示的な実施形態及びモードの実行、並びに当業者に公知又は明らかであるいずれかの均等なモード若しくは実施形態の両方を教示することを意図するものである。加えて、含まれるすべての例は、例示的な実施形態及びモードの限定されない実例であり、同様に、当業者に公知又は明らかであるいずれかの均等なモード若しくは実施形態を利用している。
【００３０】
具体的に挙げられていないものに加えて、本発明の実践で用いられる構造、配列、適用、割合、要素、材料、又はコンポーネントの他の組み合わせ及び／又は改変は、本発明の範囲から逸脱することなく、改変されてよく、又はそうでなければ特定の環境、製造仕様、設計パラメータ、若しくは他の操作要件に対して特に適合されてよく、本開示に含まれることを意図している。
【００３１】
特に断りのない限り、本出願者は、本明細書及び請求項における語句に対して、一般に容認されている一般的意味、又は適用可能な技術分野における当業者によって用いられる通常の慣習的意味が与えられることを意図している。これらの意味が異なる状況では、本明細書及び請求項における語句に対して、可能な限り広く一般的な意味が与えられるべきである。いずれの語又は句に対しても、他の何らかの特別な意味が意図される場合、本明細書は、その特別な意味を明確に記載し、定義する。
【図１】
2020513986.tif 000004
【図２】
2020513986.tif 000005
【図３】
2020513986.tif 000006
【図４】
2020513986.tif 000007
【図５】
2020513986.tif 000008
【図６】
2020513986.tif 000009
【国際調査報告】
2020513986.tif 000010